(57)【要約】【課題】監視カメラと親機との間の距離が通信可能距離より長い場合でも、あるいは壁などによる損失で通信不可となる場合でも、監視カメラからの画像情報を親機に安定して受信させ、監視カメラからの良好な画像を表示する。【解決手段】宅外に設置される監視カメラ１およびドアホン子器２と、宅内に設置される親機３および副親機４とを備えた。監視カメラ１は、撮像部１２で得られた画像情報を、無線通信部１１を介して送信する。ドアホン子器２は、無線通信部２１で受信された監視カメラ１からの画像情報および多重／分離回路部２４で多重化された画像音声情報を、有線インターフェース部２６介して送信する。親機３は、有線インターフェース部３１，３６を介して、画像情報または画像音声情報を取得して多重／分離回路部３４に出力することにより、監視カメラ１からの画像などをモニタ３２２に表示する。【選択図】  図１
2004356767.tif 000002
【特許請求の範囲】
【請求項１】
画像撮像用の撮像手段、およびこの撮像手段の撮像で得られた画像情報を無線通信で送信するための無線送信手段を備え、宅外に設置される監視カメラと、
この監視カメラから送信された画像情報を受信するための無線受信手段、音声入力用の子機側音声入力手段、および音声出力用の子機側音声出力手段を備えるとともに、前記無線受信手段で受信された画像情報、および前記子機側音声入力手段からの音声情報を有線通信で送信するほか、音声情報を前記子機側音声出力手段用として有線通信で受信するための有線送受信手段を備え、宅外に設置されるドアホン子器と、
音声入力用の親機側音声入力手段、音声出力用の親機側音声出力手段、および画像表示用の画像表示手段を備えるとともに、前記親機側音声入力手段からの音声情報を有線通信で前記ドアホン子器に送信するほか、前記ドアホン子器からの画像情報および音声情報をそれぞれ前記画像表示手段および前記親機側音声出力手段用として有線通信で受信するための有線送受信手段とを備え、宅内に設置される親機と
により構成されることを特徴とするドアホンシステム。
【請求項２】
前記ドアホン子器は、画像撮像用であって撮像で得られた画像情報が自己の有線送受信手段から前記親機に送信される撮像手段をさらに備えることを特徴とする請求項１記載のドアホンシステム。
【請求項３】
前記親機は、自己の有線送受信手段で受信される前記監視カメラおよび前記ドアホン子器からの各画像について、前記画像表示手段での表示の仕方を切り替える切替手段をさらに備えることを特徴とする請求項２記載のドアホンシステム。
【請求項４】
前記監視カメラは宅外に設置される照明器具に組み込まれることを特徴とする請求項１から３のいずれかに記載のドアホンシステム。
【請求項５】
前記照明器具は所定のセンサを備え、
前記監視カメラは前記センサの出力を利用して前記撮像手段の撮像を開始する
ことを特徴とする請求項１から３のいずれかに記載のドアホンシステム。
【請求項６】
前記監視カメラは、検針メータが取り付けられ、給電可能な支柱に設置されることを特徴とする請求項１から３のいずれかに記載のドアホンシステム。
【請求項７】
前記ドアホン子器は、呼出用であってその呼出に応じた呼出信号が自己の有線送受信手段から送信される操作手段をさらに備え、
前記親機は、前記監視カメラからの画像を前記画像表示手段に表示している場合に、自己の有線送受信手段で前記呼出信号が受信されると、前記ドアホン子器の撮像手段からの画像を前記画像表示手段に表示する
ことを特徴とする請求項２から６のいずれかに記載のドアホンシステム。
【請求項８】
前記ドアホン子器は、自己の無線受信手段で画像情報を受信する場合の無線信号の電界強度を測定するためのものであって測定結果が自己の有線送受信手段から送信される測定手段をさらに備え、
前記親機は、前記監視カメラから送信された画像を受信するための無線受信手段と、この無線受信手段で画像を受信する場合の無線信号の電界強度を測定するための測定手段とを備え、この測定手段により測定された電界強度と自己の有線送受信手段で受信された前記測定結果の電界強度とを比較し、自己の無線受信手段および自己の有線送受信手段のうち前記電界強度の強い方から、前記監視カメラからの画像情報を取得する
ことを特徴とする請求項２から７のいずれかに記載のドアホンシステム。
【請求項９】
前記ドアホン子器を複数備える請求項２から７のいずれかに記載のドアホンシステムにおいて、
前記ドアホン子器は、自己の無線受信手段で画像情報を受信する場合の無線信号の電界強度を測定するためのものであって測定結果が自己の有線送受信手段から送信される測定手段をさらに備え、
前記親機は、自己の有線送受信手段で受信された前記複数のドアホン子器からの各測定結果の電界強度を比較し、前記複数のドアホン子器のうち前記電界強度の強いドアホン子器から、前記監視カメラからの画像情報を自己の有線送受信手段で受信する
ことを特徴とするドアホンシステム。
【発明の詳細な説明】
【０００１】
【発明の属する技術分野】
本発明は、宅内に設けられる親機と宅外に設けられるドアホン子器とを通信線にて通話可能に接続して構成されるドアホンシステムに関するものである。
【０００２】
【従来の技術】
図１３は従来のドアホンシステムの概略構成図、図１４は同ドアホンシステムのブロック構成図である。
【０００３】
従来のドアホンシステムは、図１３に示すように、宅外に設置されるドアホン子器２と、宅内に設置される親機３および副親機４とを備え、ドアホン子器２と親機３は通信線Ｌ１で接続され、親機３と副親機４は無線で接続されている。
【０００４】
図１４のドアホン子器２において、２２はカメラ２２１および画像処理部２２０によりなる撮像部、２３はマイク２３１、スピーカ２３２および音声処理部２３０によりなる音声入出力部、２４は映像信号や音声信号の多重化や分離を行う多重／分離回路部、２６は有線接続で親機３と通信を行う有線インターフェース（Ｉ／Ｆ）部、２０は画像、音声処理部の制御や通信制御等を行う制御回路部である。
【０００５】
親機３において、３１は有線接続でドアホン子器２と通信を行う有線インターフェース部、３２Ａはモニタ３２２および画像処理部３２０によりなる表示部（画像出力部）、３３はマイク３３１、スピーカ３３２および音声処理部３３０によりなる音声入出力部、３４は映像信号や音声信号の多重化や分離を行う多重／分離回路部、３６Ａはアンテナ３６１および無線回路部３６２によりなり無線接続で副親機４と通信を行う無線通信部、３０は画像、音声処理部の制御や通信制御等を行う制御回路部である。
【０００６】
副親機４において、４１Ａはアンテナ４１１および無線回路部４１２によりなる無線通信部、４２Ａはモニタ４２２および画像処理部４２０によりなる表示部、４３はマイク４３１、スピーカ４３２および音声処理部４３０によりなる音声入出力部、４４は映像信号や音声信号の多重化や分離を行う多重／分離回路部、４０は画像、音声処理部の制御や通信制御等を行う制御回路部である。
【０００７】
上記構成のドアホンシステムにおいて、来訪により、ドアホン子器２から親機３および副親機４が呼び出された場合、親機３および副親機４のうち住人が応答した方におけるモニタに来訪者が映し出され、各々に搭載された音声入出力部を介して、双方向で通話を行うことができる。
【０００８】
また、親機３と副親機４との間が無線で接続されているので、通信可能エリア内であれば副親機４を自由に設置することができるため、利便性が良く、また配線が不要になるために施工性が良くなる。
【０００９】
上記従来のドアホンシステムのほか、親機と副親機との間で有線通信が行われるものも存在している。また、図示していないが各機器には一般に操作部が設けられ、来訪者の確認後に、親機３または副親機４の操作部を操作することにより、ドアの施錠、開錠を行うシステムも提案されている。
【００１０】
なお、特許文献１には、ドアホン子器のカメラユニットで撮像した映像信号をコードレス携帯端末子機に伝送し、制御データ信号をコードレス携帯端末子機から伝送できるようにしたドアホン装置が開示されている。
【００１１】
【特許文献１】
特開２０００−１１５７５６号公報
【００１２】
【発明が解決しようとする課題】
しかしながら、従来のドアホンシステムは、親機または副親機のモニタにドアホン子器の撮像部からの画像を表示する構成になっているので、ドアホン子器の撮像部の視認範囲や角度の制限のために、来訪者（不審者）の人数やその陰に隠れている人物を確認などすることができないという課題がある。
【００１３】
このような課題を解決するためには、監視カメラを宅外に別途設ければよい。しかし、宅外に監視カメラを別途設ける場合、映像（画像）信号の配線のために手軽に設置できるという訳にはいかない。
【００１４】
また、そのためにワイヤレス式の監視カメラを宅外に設置したとしても、監視カメラから宅内の親機までの距離の問題や、壁などによる透過損失の問題などにより、通信できなくなる場合や、モニタに表示される画像の品質が悪くなるなどの不具合が生じる。
【００１５】
本発明は、上記事情に鑑みてなされたものであり、監視カメラと親機との間の距離が通信可能距離より長い場合でも、あるいは壁などによる損失で通信不可となる場合でも、監視カメラからの画像情報を親機に安定して受信させることができ、監視カメラからの良好な画像を表示することができるドアホンシステムを提供することを目的とする。
【００１６】
【課題を解決するための手段】
上記課題を解決するための請求項１記載の発明のドアホンシステムは、画像撮像用の撮像手段、およびこの撮像手段の撮像で得られた画像情報を無線通信で送信するための無線送信手段を備え、宅外に設置される監視カメラと、この監視カメラから送信された画像情報を受信するための無線受信手段、音声入力用の子機側音声入力手段、および音声出力用の子機側音声出力手段を備えるとともに、前記無線受信手段で受信された画像情報、および前記子機側音声入力手段からの音声情報を有線通信で送信するほか、音声情報を前記子機側音声出力手段用として有線通信で受信するための有線送受信手段を備え、宅外に設置されるドアホン子器と、音声入力用の親機側音声入力手段、音声出力用の親機側音声出力手段、および画像表示用の画像表示手段を備えるとともに、前記親機側音声入力手段からの音声情報を有線通信で前記ドアホン子器に送信するほか、前記ドアホン子器からの画像情報および音声情報をそれぞれ前記画像表示手段および前記親機側音声出力手段用として有線通信で受信するための有線送受信手段とを備え、宅内に設置される親機とにより構成されることを特徴とする。
【００１７】
請求項２記載の発明は、請求項１記載のドアホンシステムにおいて、前記ドアホン子器は、画像撮像用であって撮像で得られた画像情報が自己の有線送受信手段から前記親機に送信される撮像手段をさらに備えることを特徴とする。
【００１８】
請求項３記載の発明は、請求項２記載のドアホンシステムにおいて、前記親機は、自己の有線送受信手段で受信される前記監視カメラおよび前記ドアホン子器からの各画像について、前記画像表示手段での表示の仕方を切り替える切替手段をさらに備えることを特徴とする。
【００１９】
請求項４記載の発明は、請求項１から３のいずれかに記載のドアホンシステムにおいて、前記監視カメラは宅外に設置される照明器具に組み込まれることを特徴とする。
【００２０】
請求項５記載の発明は、請求項１から３のいずれかに記載のドアホンシステムにおいて、前記照明器具は所定のセンサを備え、前記監視カメラは前記センサの出力を利用して前記撮像手段の撮像を開始することを特徴とする。
【００２１】
請求項６記載の発明は、請求項１から３のいずれかに記載のドアホンシステムにおいて、前記監視カメラは、検針メータが取り付けられ、給電可能な支柱に設置されることを特徴とする。
【００２２】
請求項７記載の発明は、請求項２から６のいずれかに記載のドアホンシステムにおいて、前記ドアホン子器は、呼出用であってその呼出に応じた呼出信号が自己の有線送受信手段から送信される操作手段をさらに備え、前記親機は、前記監視カメラからの画像を前記画像表示手段に表示している場合に、自己の有線送受信手段で前記呼出信号が受信されると、前記ドアホン子器の撮像手段からの画像を前記画像表示手段に表示することを特徴とする。
【００２３】
請求項８記載の発明は、請求項２から７のいずれかに記載のドアホンシステムにおいて、前記ドアホン子器は、自己の無線受信手段で画像情報を受信する場合の無線信号の電界強度を測定するためのものであって測定結果が自己の有線送受信手段から送信される測定手段をさらに備え、前記親機は、前記監視カメラから送信された画像を受信するための無線受信手段と、この無線受信手段で画像を受信する場合の無線信号の電界強度を測定するための測定手段とを備え、この測定手段により測定された電界強度と自己の有線送受信手段で受信された前記測定結果の電界強度とを比較し、自己の無線受信手段および自己の有線送受信手段のうち前記電界強度の強い方から、前記監視カメラからの画像情報を取得することを特徴とする。
【００２４】
請求項９記載の発明は、前記ドアホン子器を複数備える請求項２から７のいずれかに記載のドアホンシステムにおいて、前記ドアホン子器は、自己の無線受信手段で画像情報を受信する場合の無線信号の電界強度を測定するためのものであって測定結果が自己の有線送受信手段から送信される測定手段をさらに備え、前記親機は、自己の有線送受信手段で受信された前記複数のドアホン子器からの各測定結果の電界強度を比較し、前記複数のドアホン子器のうち前記電界強度の強いドアホン子器から、前記監視カメラからの画像情報を自己の有線送受信手段で受信することを特徴とする。
【００２５】
【発明の実施の形態】
（第１実施形態）
図１は本発明による第１実施形態のドアホンシステムのブロック構成図、図２は同ドアホンシステムの概略構成図である。
【００２６】
第１実施形態のドアホンシステムは、図２に示すように、宅外に設置される監視カメラ１およびドアホン子器２と、宅内に設置される親機３および副親機４とを備え、監視カメラ１とドアホン子器２は無線で接続され、ドアホン子器２と親機３は通信線Ｌ１で接続され、親機３と副親機４は別の通信線Ｌ２で接続されている。
【００２７】
監視カメラ１は、図１に示すように、アンテナ１１１および無線回路部１１２により構成され少なくとも無線送信機能（図では無線送受信機能）を持つ無線通信部１１と、画像（映像）撮像用のカメラ１２１およびその撮像で得られた画像信号から画像デジタル信号（画像情報）を得る画像処理部１２０により構成される撮像部１２とを備えているほか、制御回路部１０を備えている。
【００２８】
ここで、無線には、準マイクロ波帯を使用する無線ＬＡＮなどの小電力無線通信方式が使用される。
【００２９】
制御回路部１０は、例えばマイコンおよびメモリなどにより構成され、監視カメラ１全般の制御などの処理を行うものである。例えば、撮像部１２で得られた画像情報を取り込み、無線通信部１１を介してその取り込んだ画像情報を無線通信で送信する処理が実行される。
【００３０】
ドアホン子器２は、アンテナ２１１および無線回路部２１２により構成され少なくとも無線受信機能（図では無線送受信機能）を持つ無線通信部２１と、画像撮像用のカメラ２２１およびその撮像で得られた画像信号から画像情報を得る画像処理部２２０により構成される撮像部２２とを備えているほか、音声入出力部２３と、多重／分離回路部２４と、操作部２５と、有線インターフェース（Ｉ／Ｆ）部２６と、制御回路部２０とを備えている。
【００３１】
音声入出力部２３は、音声入力用のマイク２３１と、音声出力用のスピーカ２３２と、マイク２３１からの音声アナログ信号（音声信号）の増幅および音声デジタル信号（音声情報）へのＡ／Ｄ変換、並びに多重／分離回路部２４からの音声情報の音声信号へのＤ／Ａ変換、音声信号の増幅およびスピーカ２３２への出力などを行う音声処理部２３０とにより構成され、マイク２３１および音声処理部２３０を介して外部から音声を入力する一方、音声処理部２３０およびスピーカ２３２を介して外部に音声を出力するものである。
【００３２】
多重／分離回路部２４は、撮像部２２および音声入出力部２３からそれぞれ画像情報および音声情報を取得して画像音声情報に多重化する一方、制御回路部２０からの画像音声情報から音声情報を分離抽出して音声入出力部２３に出力するものである。
【００３３】
操作部２５は、呼出用としての例えば押釦などにより構成される。有線インターフェース部２６は、通信線Ｌ１を介して親機３と接続され、親機３と有線通信で双方向通信をするためのものである。
【００３４】
制御回路部２０は、例えばマイコンなどにより構成され、ドアホン子器２全般の制御のほか各種処理を実行するものである。例えば、操作部２５での呼出（押釦の押操作）に応じて、有線インターフェース部２６を介して呼出信号を出力する処理が実行される。また、無線通信部２１で受信された監視カメラ１からの画像情報および多重／分離回路部２４で多重化された画像音声情報を取り込み、有線インターフェース部２６を介して、取り込んだ画像情報および画像音声情報を送信する処理が実行される。さらに、有線インターフェース部２６を介して、画像音声情報を受信し、これを多重／分離回路部２４に出力する処理が実行される。
【００３５】
親機３は、通信線Ｌ１を介してドアホン子器２と接続され、ドアホン子器２と有線通信で双方向通信をするための有線インターフェース部３１を備えているほか、画像入出力部３２と、音声入出力部３３と、多重／分離回路部３４と、操作部３５と、有線インターフェース部３６と、制御回路部３０とを備えている。
【００３６】
画像入出力部３２は、画像撮像用のカメラ３２１と、画像表示用のモニタ３２２と、カメラ３２１の撮像で得られた画像信号から画像情報を取得する一方、多重／分離回路部３４からの画像情報を基にモニタ３２２に画像を表示する画像処理部３２０とにより構成されている。
【００３７】
音声入出力部３３は、音声入力用のマイク３３１と、音声出力用のスピーカ３３２と、マイク３３１からの音声信号の増幅および音声情報へのＡ／Ｄ変換、並びに多重／分離回路部３４からの音声情報の音声信号へのＤ／Ａ変換、音声信号の増幅およびスピーカ３３２への出力などを行う音声処理部３３０とにより構成されている。
【００３８】
多重／分離回路部３４は、画像入出力部３２および音声入出力部３３からそれぞれ画像情報および音声情報を取得して画像音声情報に多重化する一方、制御回路部３０からの音声情報、画像情報または画像音声情報から、画像情報または音声情報を分離抽出し、画像情報を画像入出力部３２に、音声情報を音声入出力部３３に出力するものである。
【００３９】
操作部３５は、副親機４呼出用またはドアホン子器２応対用としての例えば押釦および応答用としての例えば押釦などにより構成される。有線インターフェース部３６は、通信線Ｌ２を介して副親機４と接続され、副親機４と有線通信で双方向通信をするためのものである。
【００４０】
制御回路部３０は、例えばマイコンおよびメモリなどにより構成され、親機３全般の制御のほか各種処理を実行するものである。例えば、有線インターフェース部３１，３６間の中継処理、および操作部３５での副親機４の呼出に応じて、有線インターフェース部３６を介して呼出信号を出力する処理が実行される。
【００４１】
また、有線インターフェース部３１，３６を介して呼出信号を受信すると、多重／分離回路部３４を介して音声入出力部３３に呼出用の音声情報を出力する処理が実行される。
【００４２】
さらに、操作部３５での応答時（例えば応答用としての押釦の押操作時点から所定期間）には、有線インターフェース部３１，３６を介して、画像情報または画像音声情報を取得して多重／分離回路部３４に出力するほか、多重／分離回路部３４からの画像音声情報を、有線インターフェース部３１，３６を介して出力する処理が実行される。つまり、応答時には、ドアホン子器２との双方向の通話が可能になるほか、ドアホン子器２によって中継された監視カメラ１からの画像およびドアホン子器２のカメラ２２１からの画像、または副親機４のカメラ４２１からの画像が、モニタ３２２に表示されるのである。
【００４３】
副親機４は、通信線Ｌ２を介して親機３と接続され、親機３と有線通信で双方向通信をするための有線インターフェース部４１を備えているほか、画像入出力部４２と、音声入出力部４３と、多重／分離回路部４４と、操作部４５と、制御回路部４０とを備えている。
【００４４】
画像入出力部４２は、画像撮像用のカメラ４２１と、画像表示用のモニタ４２２と、カメラ４２１の撮像で得られた画像信号から画像情報を取得する一方、多重／分離回路部４４からの画像情報を基にモニタ４２２に画像を表示する画像処理部４２０とにより構成されている。
【００４５】
音声入出力部４３は、音声入力用のマイク４３１と、音声出力用のスピーカ４３２と、マイク４３１からの音声信号の増幅および音声情報へのＡ／Ｄ変換、並びに多重／分離回路部４４からの音声情報の音声信号へのＤ／Ａ変換、音声信号の増幅およびスピーカ４３２への出力などを行う音声処理部４３０とにより構成されている。
【００４６】
多重／分離回路部４４は、画像入出力部４２および音声入出力部４３からそれぞれ画像情報および音声情報を取得して画像音声情報に多重化する一方、制御回路部４０からの音声情報、画像情報または画像音声情報から、画像情報または音声情報を分離抽出し、画像情報を画像入出力部４２に、音声情報を音声入出力部４３に出力するものである。
【００４７】
操作部４５は、親機３呼出用としての例えば押釦および応答用としての例えば押釦などにより構成される。
【００４８】
制御回路部４０は、例えばマイコンおよびメモリなどにより構成され、副親機４全般の制御のほか各種処理を実行するものである。例えば、操作部４５での親機３の呼出に応じて、有線インターフェース部４１を介して呼出信号を出力する処理が実行される。
【００４９】
また、有線インターフェース部４１を介して呼出信号を受信すると、多重／分離回路部４４を介して音声入出力部４３に呼出用の音声情報を出力する処理が実行される。
【００５０】
さらに、操作部４５での応答時には、有線インターフェース部４１を介して、画像情報または画像音声情報を取得して多重／分離回路部４４に出力するほか、多重／分離回路部４４からの画像音声情報を、有線インターフェース部４１を介して出力する処理が実行される。つまり、応答時には、ドアホン子器２との双方向の通話が可能になるほか、ドアホン子器２および親機３によって中継された監視カメラ１からの画像および親機３によって中継されたドアホン子器２のカメラ２２１からの画像、または親機３のカメラ３２１からの画像が、モニタ４２２に表示されるのである。
【００５１】
次に、上記ドアホンシステムの動作について説明する。来訪者が操作部２５で呼出用の操作をすると、呼出信号が有線インターフェース部２６を介して親機３に送信され、親機３により受信されて副親機４に中継され、副親機４により受信される。そして、親機３において、制御回路部３０から多重／分離回路部３４を介して音声入出力部３３に呼出用の音声情報が出力される一方、副親機４において、制御回路部４０から多重／分離回路部４４を介して音声入出力部４３に呼出用の音声情報が出力される。これにより、親機３のスピーカ３３２および副親機４のスピーカ４３２から、来訪を告げる呼出音が鳴る。
【００５２】
この後、住人が例えば親機３の操作部３５で応答用の操作をすると、ドアホン子器２との通話が可能になるとともに、監視カメラ１からの画像情報およびドアホン子器２からの画像音声情報が、制御回路部３０から多重／分離回路部３４に出力され、画像情報および音声情報がそれぞれ画像入出力部３２および音声入出力部３３に入力される。これにより、監視カメラ１からの画像とドアホン子器２のカメラ２２１からの画像がモニタ３２２に表示され、ドアホン子器２のマイク２３１からの音声がスピーカ３３２から出力される。
【００５３】
これに対し、住人が副親機４の操作部４５で応答用の操作をすると、ドアホン子器２との通話が可能になるとともに、監視カメラ１からの画像情報およびドアホン子器２からの画像音声情報が、制御回路部４０から多重／分離回路部４４に出力され、画像情報および音声情報がそれぞれ画像入出力部４２および音声入出力部４３に入力される。これにより、監視カメラ１からの画像とドアホン子器２のカメラ２２１からの画像がモニタ４２２に表示され、ドアホン子器２のマイク２３１からの音声がスピーカ４３２から出力される。
【００５４】
第１実施形態によれば、監視カメラ１から無線通信で送信された画像情報が、ドアホン子器２によって受信され、有線通信で親機３側に中継されるので、壁などで透過損失の影響を受けない、高い通信信頼性を確保することができる。これにより、監視カメラ１と親機３との間の距離が通信可能距離より長い場合でも、あるいは壁などによる損失で通信不可となる場合でも、監視カメラ１からの画像を親機３側に安定して受信させることができ、監視カメラ１からの良好な画像をモニタに表示することができる。
【００５５】
なお、第１実施形態では、画面を見ながら内線通話ができるように、親機３，副親機４にそれぞれカメラ３２１，４２１が設けられる構成になっているが、カメラ３２１，４２１を設けない構成でも構わない。
【００５６】
また、監視カメラ１には、親機３または副親機４のような音声入出力部が設けられない構成になっているが、同様の音声入出力部および多重／分離回路部を設けるようにしてもよい。また、監視カメラ１に対する多重化情報には、監視カメラ１の遠隔制御用としての制御コマンドを含めるようにしてもよい。
【００５７】
（第２実施形態）
図３は本発明による第２実施形態のドアホンシステムの概略構成図である。
【００５８】
第２実施形態のドアホンシステムは、第１実施形態との相違点として、親機３において、操作部３５が、モニタ３２２での表示の仕方を切り替えるための例えば押釦をさらに備え、制御回路部３０が、操作部３５での表示の仕方の切替操作に応じて、有線インターフェース部３１で受信される監視カメラ１およびドアホン子器２のカメラ２２１からの各画像について、モニタ３２２での表示の仕方を切り替える処理をさらに実行することを特徴とする。
【００５９】
例えば、通常は、ドアホン子器２のカメラ２２１からの画像をモニタ３２２に表示する処理がなされる。この後、必要に応じて操作部３５で表示の仕方の切替操作を行えば、図３に示すように、軒下天井に設置された監視カメラ１からの画像をモニタ３２２に表示する処理がなされる。
【００６０】
通常時のカメラ２２１では、従来のドアホンシステムと同様に、カメラ２２１の視認範囲や角度の制限のために、来訪者（不審者）の全身や人数などの確認ができないが、切替操作に応じて、軒下天井に設置された監視カメラ１からの画像をモニタ３２２に表示することにより、来訪者の全身や人数などの確認ができるようになる。また、陰に隠れた人物を確認することもできる。
【００６１】
なお、第２実施形態では、操作部３５での表示の仕方の切替操作に応じて、監視カメラ１からの画像をモニタ３２２に切替表示する構成になっているが、監視カメラ１およびドアホン子器２のカメラ２２１からの各画像のうち、一方の画像をモニタ３２２に表示するとともに、他方の画像をモニタ３２２の一部にいわゆるスーパーインポーズで表示するようにしてもよい。
【００６２】
また、監視カメラ１の設置場所は、ドアホン子器２との間で安定した無線通信が行える位置関係にある必要があるので、監視カメラ１から送られる電波の強度をスピーカ２３２から音で知らせる機能をドアホン子器２に設けることにより、音声やブザー音などの音で、監視カメラ１の設置場所を決めることができ、監視カメラ１の施工性が良くなる。
【００６３】
（第３実施形態）
図４は本発明による第３実施形態のドアホンシステムの概略構成図である。
【００６４】
第３実施形態のドアホンシステムは、第１または第２実施形態との相違点として、図４に示すように、監視カメラ１が、宅外に設置されるポーチライトなどの照明器具５に組み込まれることを特徴とする。
【００６５】
照明の不足する場所に監視カメラを設置する場合には、高感度カメラや赤外線カメラなどを使用する必要があるが、そのようなカメラは、高価であるため、住宅を対象とする簡易的な監視用途には不向きである。
【００６６】
第３実施形態によれば、照明器具５に監視カメラ１が組み込まれるので、夜間でも十分な光量を確保することができるため、上記のような高価なカメラを使用しなくても、来訪者の画像を良好に撮像することができる。また、照明器具５への商用電源を近傍の監視カメラ１にも共有しやすい。さらに、監視カメラ１を照明器具５内に組み込むようにすれば、監視カメラ１を照明器具５内に隠すことが可能になるため、カメラ２２１以外から監視されていることを来訪者に意識させないようにすることが可能となる。ただし、照明器具のような外乱ノイズ発生源の傍らに監視カメラ１を配置するわけであるから、監視カメラ１に対し、例えば従来の手法でノイズシールド対策を充分に施す必要がある。
【００６７】
（第４実施形態）
図５は本発明による第４実施形態のドアホンシステムの概略構成図である。
【００６８】
第４実施形態のドアホンシステムは、第３実施形態との相違点として、照明器具５が例えば人感センサ６を備え、監視カメラ１が人感センサ６の出力（人検出出力）を利用するか、または人感センサ６の人体感知成否と連動して点灯オンオフする照明器具５の点灯開始の信号を検知することによって、撮像開始のトリガとすることを特徴とする。
【００６９】
このような構成のドアホンシステムでは、図５（ａ）に示すように来訪者が居ない状態から、図５（ｂ）に示すように、人感センサ６の検出エリア内に来訪者が入ると、人感センサ６から人検出出力が出され、監視カメラ１が撮像部１２での撮像を開始する。撮像部１２で得られた画像情報は、無線通信部１１を介して無線通信で送信され、ドアホン子器２により受信されて親機３および副親機４に中継される。そして、親機３において、監視カメラ１からの画像がモニタ３２２に表示される一方、副親機４において、監視カメラ１からの画像がモニタ４２２に表示される。
【００７０】
第４実施形態によれば、夜間に照明器具５を消灯していたとしても、人感センサ６の人検出出力をトリガ入力として、照明器具５および監視カメラ１の電源をオンにし、照明器具５の照明下で監視カメラ１により撮像した来訪者の画像情報を、ドアホン子器２を介して親機３および副親機４に送信することができる。
【００７１】
なお、図５では、人感センサ６が、照明器具５の外部に設けられているが、照明器具５に内蔵される構成でもよい。
【００７２】
また、監視カメラ１の焦点距離を変えない場合には、トリガ入力後、監視カメラ１の電源を先にオンにし、照明器具５の電源を後でオンにするなど、電源のオンのタイミングを変えることができ、来訪者（不審者）による照明器具５の点灯時の反応を見逃すことを無くすことができる。
【００７３】
さらに、人感センサ６の他に照度センサなどを別連結すれば、周囲の明るさに合わせて照明器具５を自動的にオン／オフさせることができ、監視カメラ１を連続撮影させることも可能である。なお、監視カメラ１の撮像部１２で得られる画像情報から、周囲の明るさを判断するようにしてもよい。
【００７４】
（第５実施形態）
図６は本発明による第５実施形態のドアホンシステムの概略構成図である。
【００７５】
第５実施形態のドアホンシステムは、第１実施形態との相違点として、図６に示すように、使用電力量などの検針メータ７１が取り付けられ、電線などの引込線７２により給電可能な支柱７に監視カメラ１が設置されていることを特徴とする。
【００７６】
支柱７は、電信柱のことではなく、一般的に、使用電力量などを検針する巡回担当者が道路から住宅の壁越しに、検針メータ７１の数値を読み取ることができるように数ｍの高さに設定される。
【００７７】
第５実施形態によれば、数ｍの高さの支柱７から住宅内の庭や、門扉周辺、道路などの画像を監視カメラ１で撮像するので、高い視点での映像取得が可能になる。また、高所から臨むので、監視カメラ１からドアホン子器２に至る範囲内に遮るものが少ないことを期待することができ、監視カメラ１およびドアホン子器２間の無線通信の信頼性が高くなる環境を作り出すことができる。
【００７８】
（第６実施形態）
図７は本発明による第６実施形態のドアホンシステムの概略構成図、図８は同ドアホンシステムのブロック構成図である。
【００７９】
第６実施形態のドアホンシステムは、第５実施形態との相違点として、図７，図８に示すように、ドアホン子器２および親機３が、それぞれ例えばハードディスク装置などの記憶部２７，３７に監視カメラ１からの画像情報を記憶しながら、親機３がその画像をモニタ３２２に表示している場合に、親機３の制御回路部３０Ａが、有線インターフェース部３１でドアホン子器２からの呼出信号を受信すると、来訪者検出の機能によりドアホン子器２からの画像に切り替えてモニタ３２２に表示するほか、操作部３５の操作に応じて、記憶部２７，３７に記憶された画像をモニタ３２２に表示することを特徴とする。
【００８０】
ここで、親機３の操作部３５における例えば所定の押釦を押すなどして、記憶部２７，３７に記憶された画像を見るための切替操作をすると、記憶部２７に記憶された画像をモニタ３２２に表示する場合には、制御回路部３０Ａが有線インターフェース部３１を介して画像送信依頼のコードを送信し、制御回路部２０Ａが有線インターフェース部２６を介してそのコードを受信すると、記憶部２７に記憶された監視カメラ１からの画像情報を読み出して有線インターフェース部２６を介して送信し、制御回路部３０Ａが有線インターフェース部３１を介して監視カメラ１からの画像情報を受信すると、それを多重／分離回路部３４に出力することにより、監視カメラ１からの画像をモニタ３２２に表示する。記憶部３７に記憶された画像をモニタ３２２に表示する場合には、制御回路部３０Ａが記憶部３７に記憶された監視カメラ１からの画像情報を読み出し、それを多重／分離回路部３４に出力することにより、監視カメラ１からの画像をモニタ３２２に表示する。
【００８１】
次に、上記構成のドアホンシステムの動作について説明する。監視カメラ１からの画像がドアホン子器２の中継を経て親機３のモニタ３２２に表示されている場合に、来訪者が操作部２５で呼出用の操作をすると、モニタ３２２に表示されている監視カメラ１からの画像がドアホン子器２のカメラ２２１からの画像に自動的に切り替わる。これにより、従来のドアホンシステムと同様に、ドアホン子器２のカメラ２２１からの画像を見ながら応対することができる。
【００８２】
また、親機３の操作部３５で、記憶部２７，３７に記憶された画像を見るための切替操作をすることにより、記憶部２７，３７に記憶された監視カメラ１からの画像がモニタ３２２に表示されることになる。これにより、必要に応じて、記憶部２７，３７に記憶された監視カメラ１からの画像をモニタ３２２で確認することができる。
【００８３】
なお、モニタ３２２での画像の表示については、監視カメラ１およびドアホン子器２のカメラ２２１からの各画像のうち、一方の画像をモニタ３２２に表示するとともに、他方の画像をモニタ３２２の一部に表示するようにしてもよい。
【００８４】
また、第６実施形態では、応対前から監視カメラ１からの画像情報が記憶部２７，３７に記憶される構成になっているが、呼出用の操作時点から始まる応対中における監視カメラ１からの画像情報が記憶部２７，３７に記憶される構成でもよい。
【００８５】
さらに、ドアホン子器２および親機３の双方に、監視カメラ１からの画像情報を記憶するための記憶部２７，３７が設けられる構成になっているが、ドアホン子器２および親機３の一方に、監視カメラ１からの画像情報を記憶するための記憶部が設けられる構成でもよい。特に、親機３に設ける方がシステム動作が簡単になるのでより望ましい。
【００８６】
（第７実施形態）
図９は本発明による第７実施形態のドアホンシステムの概略構成図、図１０は同ドアホンシステムのブロック構成図である。
【００８７】
第７実施形態のドアホンシステムは、第５実施形態との相違点として、図９，図１０に示すように、ドアホン子器２が、無線通信部２１で画像情報を受信する場合の無線信号の電界強度を測定するためのものであって、測定結果が制御回路部２０Ｂにより有線インターフェース部２６から送信される測定部２８をさらに備え、親機３が、監視カメラ１から送信された画像情報を受信するための無線通信部３６Ａと、この無線通信部３６Ａで画像情報を受信する場合の無線信号の電界強度を測定するための測定部３８とを備え、制御回路部３０Ｂにおいて、測定部３８により測定された電界強度と有線インターフェース部３１で受信された上記測定結果の電界強度とを比較し、無線通信部３６Ａおよび有線インターフェース部３１のうち上記電界強度の強い方から、監視カメラ１からの画像情報を取得することを特徴とする。
【００８８】
また、親機３が、有線インターフェース部３６に代えて、アンテナ３６１および無線回路部３６２により構成され無線送受信機能を持つ無線通信部３６Ａを備えていることから、副親機４も、有線インターフェース部４１に代えて、アンテナ４１１および無線回路部４１２により構成され無線送受信機能を持つ無線通信部４１Ａを備えている。
【００８９】
次に、上記構成のドアホンシステムの動作について説明する。ドアホン子器２において、監視カメラ１からの画像情報を受信する場合、その無線信号の電界強度が測定部２８で測定され、その電界強度を示す受信電力の情報が制御回路部２０Ｂにより有線インターフェース部２６から送信される。
【００９０】
この後、親機３において、制御回路部３０Ｂが有線インターフェース部３１を介して上記受信電力の情報を受信すると、測定部３８により測定された電界強度を示す受信電力と有線インターフェース部３１を介して受信した受信電力とを比較し、無線通信部３６Ａおよび有線インターフェース部３１のうち上記受信電力の大きい方から、監視カメラ１からの画像情報を取得する。
【００９１】
これにより、親機３が、自らの経路選択により、無線通信部２１および無線通信部３６Ａのうち監視カメラと良い電波環境の関係にある無線通信部から、監視カメラ１からの画像情報を受信することができる。
【００９２】
また、運用時にパケットエラーレートなどの通信品質が悪化した場合、再度経路選択の処理を行うことにより、安定した経路を常に選択することができる。
【００９３】
さらに、親機３と副親機４との間も無線で接続されているので、通信可能エリア内であれば副親機４を自由に設置することができるため、利便性が良く、また配線が不要になるために施工性が良くなる。
【００９４】
なお、本実施形態の用途として、施工時設置時の初期設定時点が有効であるが、そうでなくとも、例えば、親機〜カメラ間の電界強度値と、ドアホン子器〜カメラ間の電界強度値とが僅差の場合には、親機〜カメラ間の無線ルートと、ドアホン子器〜カメラ間の無線ルートとの比較および採用を、時間帯に限らず、定期的、もしくは画像無線転送のトリガ発生時の都度に、行うようにしてもよい。いずれにせよ、無線転送する画像の同一性については、特定の必要はない。なぜなら、電界強度は画像の撮像結果データそのものについてではなく設置環境に因って左右されるからである。
【００９５】
（第８実施形態）
図１１は本発明による第８実施形態のドアホンシステムの概略構成図、図１２は同ドアホンシステムのブロック構成図である。
【００９６】
第８実施形態のドアホンシステムは、第５実施形態との相違点として、図１１，図１２に示すように、ドアホン子器２を複数備え、各ドアホン子器２が、無線通信部２１で画像情報を受信する場合の無線信号の電界強度を測定するためのものであって測定結果が制御回路部２０Ｂにより有線インターフェース部２６から送信される測定部２８をさらに備え、親機３の制御回路部３０Ｃが、有線インターフェース部３１で受信された複数のドアホン子器２からの各測定結果の電界強度を比較し、複数のドアホン子器２のうち上記電界強度の強いドアホン子器２から、有線インターフェース部３１を介して監視カメラ１からの画像情報を受信することを特徴とする。
【００９７】
また、親機３が、有線インターフェース部３６に代えて、アンテナ３６１および無線回路部３６２により構成され無線送受信機能を持つ無線通信部３６Ａを備えているので、第７実施形態と同様の無線タイプの副親機４を使用することができる。
【００９８】
次に、上記構成のドアホンシステムの動作について説明する。各ドアホン子器２において、監視カメラ１からの画像情報を受信する場合、その無線信号の電界強度が測定部２８で測定され、その電界強度を示す受信電力の情報が制御回路部２０Ｂにより有線インターフェース部２６から送信される。
【００９９】
この後、親機３において、制御回路部３０Ｃが有線インターフェース部３１を介して上記受信電力の情報を受信すると、複数のドアホン子器２からの各受信電力を比較し、複数のドアホン子器２のうち上記受信電力の大きいドアホン子器２から、有線インターフェース部３１を介して監視カメラ１からの画像情報を受信する。
【０１００】
これにより、親機３が、自らの経路選択により、複数のドアホン子器２のうち監視カメラ１と良い電波環境の関係にあるドアホン子器２から、監視カメラ１からの画像情報を受信することができる。
【０１０１】
また、運用時にパケットエラーレートなどの通信品質が悪化した場合、再度経路選択の処理を行うことにより、安定した経路を常に選択することができる。
【０１０２】
また、監視カメラ１〜親機３間の直接無線ルートについても、第７実施形態と同様に採用し、これを第８実施形態で上述したドアホン子器２の各器と親機３間の無線ルートでの検討結果と併せて、無線ルートの採用検討を行ってもかまわない。
【０１０３】
【発明の効果】
請求項１記載の発明によれば、監視カメラから無線通信で送信された画像情報が、ドアホン子器によって受信され、有線通信で親機に中継されることになるから、監視カメラと親機との間の距離が通信可能距離より長い場合でも、あるいは壁などによる損失で通信不可となる場合でも、監視カメラからの画像を親機に安定して受信させることができ、監視カメラからの良好な画像を表示することができる。
【０１０４】
請求項２記載の発明によれば、監視カメラからの画像とドアホン子器の撮像手段からの画像とにより、来訪者を確認することができる。
【０１０５】
請求項３記載の発明によれば、必要に応じて、監視カメラからの画像およびドアホン子器の撮像手段からの画像のうち少なくとも一方の画像に切り替えるなどして、来訪者を確認することができる。
【０１０６】
請求項４記載の発明によれば、夜間でも十分な光量を確保することができるため、高価な監視カメラを使用しなくても、来訪者の画像を良好に撮像することができる。また、照明器具への電源を監視カメラで使用することができる。
【０１０７】
請求項５記載の発明によれば、例えば、夜間に照明器具を消灯していたとしても、センサの出力をトリガ入力として、照明器具および監視カメラの電源をオンにすることが可能となり、照明器具の照明下で監視カメラにより撮像した来訪者の画像情報を、ドアホン子器を介して親機に送信することが可能になる。
【０１０８】
請求項６記載の発明によれば、支柱から住宅内や住宅前の道路を監視し、多くの情報を収集することができるとともに、障害物のない通信路の確保や、支柱に配線された電力線から電源をもらうことができる。
【０１０９】
請求項７記載の発明によれば、来客時に迅速な応対が可能になる。
【０１１０】
請求項８記載の発明によれば、親機が、自らの経路選択により、自己の無線受信手段およびドアホン子器の無線受信手段のうち監視カメラと良い電波環境の関係にある無線受信手段から、監視カメラからの画像情報を受信することができる。
【０１１１】
請求項９記載の発明によれば、親機が、自らの経路選択により、玄関や勝手口などに設置される複数のドアホン子器のうち監視カメラと良い電波環境の関係にあるドアホン子器から、監視カメラからの画像情報を受信することができる。
【図面の簡単な説明】
【図１】本発明による第１実施形態のドアホンシステムのブロック構成図である。
【図２】同ドアホンシステムの概略構成図である。
【図３】本発明による第２実施形態のドアホンシステムの概略構成図である。
【図４】本発明による第３実施形態のドアホンシステムの概略構成図である。
【図５】本発明による第４実施形態のドアホンシステムの概略構成図である。
【図６】本発明による第５実施形態のドアホンシステムの概略構成図である。
【図７】本発明による第６実施形態のドアホンシステムの概略構成図である。
【図８】同ドアホンシステムのブロック構成図である。
【図９】本発明による第７実施形態のドアホンシステムの概略構成図である。
【図１０】同ドアホンシステムのブロック構成図である。
【図１１】本発明による第８実施形態のドアホンシステムの概略構成図である。
【図１２】同ドアホンシステムのブロック構成図である。
【図１３】従来のドアホンシステムの概略構成図である。
【図１４】同ドアホンシステムのブロック構成図である。
【符号の説明】
１  監視カメラ
１０  制御回路部
１１  無線通信部
１２  撮像部
２  ドアホン子器
２０，２０Ａ，２０Ｂ  制御回路部
２１  無線通信部
２２  撮像部
２３  音声入出力部
２４  多重／分離回路部
２５  操作部
２６  有線インターフェース（Ｉ／Ｆ）部
２７  記憶部
２８  測定部
３  親機
３０，３０Ａ，３０Ｂ，３０Ｃ  制御回路部
３１  有線インターフェース（Ｉ／Ｆ）部
３２  画像入出力部
３３  音声入出力部
３４  多重／分離回路部
３５  操作部
３６  有線インターフェース（Ｉ／Ｆ）部
３６Ａ  無線通信部
３７  記憶部
３８  測定部
４  副親機
５  照明器具
６  人感センサ
７  支柱
【図１】
2004356767.tif 000003
【図２】
2004356767.tif 000004
【図３】
2004356767.tif 000005
【図４】
2004356767.tif 000006
【図５】
2004356767.tif 000007
【図６】
2004356767.tif 000008
【図７】
2004356767.tif 000009
【図８】
2004356767.tif 000010
【図９】
2004356767.tif 000011
【図１０】
2004356767.tif 000012
【図１１】
2004356767.tif 000013
【図１２】
2004356767.tif 000014
【図１３】
2004356767.tif 000015
【図１４】
2004356767.tif 000016